(57)【要約】      （修正有）【課題】異なったフォーマットを有し連続的に製造される書籍の裁断のために適している印刷物の製造方法を得る。【解決手段】いずれも印刷物５を加工するための少なくとも１つの工具１７，１８，１９と印刷物５を前記少なくとも１つの工具１７，１８，１９に供給する搬送装置１１を備えた加工装置２を使用して製造を行なう。前記印刷物５は前記加工装置２への路程上において検知可能な情報指標１３を有していてそのデータを読み取り装置によって検知するとともに前記印刷物５の加工のために使用する。前記のデータは、受信したデータに基づいて個々の印刷物５を加工するように前記少なくとも１つの工具１７，１８，１９をそれぞれ制御する制御装置２３に伝送する。各印刷物５をいずれもその情報指標１３のデータに基づいて加工する。【選択図】図１
2009193586.tif 000002
【特許請求の範囲】
【請求項１】
いずれも印刷物（５，５′）を加工するための少なくとも１つの工具（１７，１８，１９）と印刷物（５，５′）を前記少なくとも１つの工具（１７，１８，１９）に供給する搬送装置（１１）を備えた加工装置（２）を使用し、前記印刷物（５，５′）は前記加工装置（２）への路程上において検知可能な情報指標（１３，１３′）を有していてそのデータを読み取り装置（１２）によって検知するとともに前記印刷物（５，５′）の加工のために使用する印刷物（５，５′）の製造方法であり、受信したデータに基づいて個々の印刷物（５，５′）を加工するように前記少なくとも１つの工具（１７，１８，１９）をそれぞれ制御する制御装置（２３）に印刷物（５，５′）を加工するためのデータを伝送し、それによって各印刷物（５，５′）をいずれもその情報指標（１３，１３′）のデータに基づいて加工することを特徴とする方法。
【請求項２】
加工装置（２）は少なくとも１枚の刃（１７，１８，１９）を備えた裁断装置であることを特徴とする請求項１記載の方法。
【請求項３】
情報指標（１３，１３′）がいずれも裁断フォーマットに関する設定を含み、その設定がいずれも制御装置（２３）に伝達されることを特徴とする請求項１または２記載の方法。
【請求項４】
綴付けられた印刷製品（２１）の製造、特に書籍の製造のために使用することを特徴とする請求項１ないし３のいずれかに記載の方法。
【請求項５】
情報指標（１３，１３′）が機械読み取り可能なコードを有していることを特徴とする請求項１ないし４のいずれかに記載の方法。
【請求項６】
情報指標がバーコードあるいはデータマトリクスとして形成されることを特徴とする請求項５記載の方法。
【請求項７】
情報指標（１３，１３′）が印刷物（５，５′）上に印刷されることを特徴とする請求項１ないし６のいずれかに記載の方法。
【請求項８】
情報指標（１３，１３′）が加工装置（２）内において除去、特に切除される印刷物（５，５′）上の領域内に設けられることを特徴とする請求項１ないし７のいずれかに記載の方法。
【請求項９】
情報指標（１３，１３′）が送信機を有しその中に該当するデータが記憶されることを特徴とする請求項１ないし６のいずれかに記載の方法。
【請求項１０】
情報指標（１３，１３′）がいずれも加工時点から所与のクロック数前に読み込まれるように情報指標（１３，１３′）を読み込むための装置（１２）が構成されることを特徴とする請求項１ないし６のいずれかに記載の方法。
【請求項１１】
情報指標（１３，１３′）が加工時点の数クロック前、特に１０クロック未満前、特に好適には５クロック未満前に検知されることを特徴とする請求項１０記載の方法。
【請求項１２】
印刷物（５，５′）を加工するための少なくとも１つの工具（１７，１８，１９）と、印刷物（５，５′）を前記少なくとも１つの工具（１７，１８，１９）に供給するための搬送装置（１１）と、前記少なくとも１つの工具（１７，１８，１９）への印刷物（５，５′）の路程上においていずれも印刷物（５，５′）上に存在する情報指標（１３，１３′）を検知するための手段（１２）と、制御装置（２３）を備えてなる、請求項１ないし１１のいずれかに記載の方法を実施するための装置であり、前記制御装置（２３）が前記少なくとも１つの工具（１７，１８，１９）を直接制御するために設けられているとともに前記手段（１２）は検知されたデータを伝送するために前記制御装置（２３）と接続されているかあるいは接続可能であることを特徴とする装置。
【請求項１３】
少なくとも１つの工具（１７，１８，１９）は裁断工具あるいは切断刃であることを特徴とする請求項１２記載の装置。
【請求項１４】
少なくとも１つの工具（１７，１８，１９）は異なったフォーマットに対応して調節可能であることを特徴とする請求項１２または１３記載の装置。
【請求項１５】
手段（１２）は特にバーコードあるいはデータマトリクス等の印刷された情報指標（１３，１３′）を読み取りあるいは検知可能な読み取り装置を有することを特徴とする請求項１２ないし１４のいずれかに記載の装置。
【請求項１６】
工具が三方裁断刃として形成され、第１の切断刃（１７）が底部裁断のために設けられ、第２の切断刃（１８）が前方裁断のために設けられ、第３の切断刃（１９）は上部裁断のために設けられていることを特徴とする請求項１２ないし１４のいずれかに記載の装置。
【発明の詳細な説明】
【技術分野】
【０００１】
この発明は、いずれも印刷物を加工するための少なくとも１つの工具と印刷物を前記少なくとも１つの工具に供給する搬送装置を備えた加工装置を使用し、前記印刷物は前記加工装置への路程上において検知可能な情報指標を有していてそのデータを読み取り装置によって検知するとともに前記印刷物の加工のために使用する、印刷物の製造方法に関する。本発明はさらに前記の方法を実施するための装置に関する。
【背景技術】
【０００２】
前記の種類の方法は欧州特許出願公開第１８１６００７号明細書によって従来から知られている。ここで印刷物は背部が接着剤塗付され表紙が取り付けられた中本である。加工装置内において中本が接着剤塗付され表紙が取り付けられる。複数の異なった表紙が用意され、それによって中本にいずれも適正な表紙を取り付けることができる。連続的な流れで製造するとともに中本にいずれも適正な表紙を取り付けることができるように、加工装置への路程中に表紙が識別指標を備えるものとされる。この情報指標の情報は、検出ステーションおよび入力ステーションを備えていて上位に設置された制御装置に伝送される。ここで開示された方法は特にデジタル印刷機によって順次に印刷された印刷物用に構成されたものである。中本が適宜な表紙を備えている場合は裁断機に移送され、その中で適宜なフォーマットに裁断される。この方法のためには、比較的高コストな“ワークフロー”が必要となる。
【発明の概要】
【発明が解決しようとする課題】
【０００３】
従って本発明の目的は、特に少部数の製造に際してもより高い効率を可能にする、冒頭に述べた種類の方法を提供することである。
【課題を解決するための手段】
【０００４】
前記の課題は、冒頭に述べた種類の方法において、受信したデータに基づいて個々の印刷物を加工するように前記少なくとも１つの工具をそれぞれ制御する制御装置に印刷物を加工するためのデータを伝送し、それによって各印刷物をいずれもその情報指標のデータに基づいて加工することによって解決される。本発明に係る方法によれば、“ワークフロー”および上位の制御機構を伴わない動的かつ局部的な加工が可能となる。例えば、本発明によれば各印刷物をそれに対して割り当てられたフォーマットをもってそれぞれ裁断することができる。従って１つの注文における全ての印刷物を同じフォーマットで裁断する必要がなくなる。例えば異なったフォーマットを有する書籍等の異なった印刷物を連続的に製造することができる。各印刷物に割り当てられた情報指標に基づいて、工具が自動的に該当するフォーマットに対応して調節される。その制御は上位に配置された制御機構ではなく、該当する工具あるいは裁断装置を制御する制御機構によるものである。フォーマットに応じて例えば加工装置内で裁断フォーマットをクロック制御で変化させる。該当するデータは、例えば底部裁断等の加工の例えば１クロック、２クロック、あるいはそれ以上前に読み込まれる。従って本発明に係る方法によれば、高い生産性と低コストで、多様なフォーマットの印刷物、例えば書籍を連続して製造することができる。
【０００５】
加工装置は特に少なくとも１枚の刃を備えた裁断装置である。しかしながら、加工装置が例えば切削工具、綴付け装置、あるいはスタンピング工具等のその他の工具を備えることも可能である。さらに複数の異なった加工工程も想定可能である。
【０００６】
本発明の追加構成によれば、情報指標が意図される裁断フォーマットに関する設定を含む。その設定はいずれも制御装置に伝達される。そのような裁断フォーマットに関する設定の代わりにその他の設定とすることも可能である。例えばその設定は多様な綴付け位置に関するものとすることができる。
【０００７】
本発明に係る方法は綴付けられた印刷製品、中でも書籍の製造に特に適している。すなわちそれらを多様なフォーマットをもって連続的かつ低コストに製造することが可能になる。
【０００８】
本発明の追加構成によれば、情報指標がいずれも機械読み取り可能なコードを有している。そのコードとしては例えばアスキー表からの英数字記号を使用することができる。それによって例えばフォーマットに対するデータを極めてコンパクトに符号化することができる。専門家は情報の圧縮とも呼称している。
【０００９】
本発明の追加構成によれば、情報指標がバーコードあるいは二次元データマトリクスとして形成される。これは例えば表紙あるいは中本の上の極めて小さなスペース上に印刷することができる。情報指標は例えば既知の方式の電子読み取り可能なデータを含んでいる送信機によって提供することもできる。
【００１０】
本発明の追加構成によれば、情報指標はいずれも加工装置内において例えば切断によって除去される印刷物上の領域内に設けられる。それによって完成した製品上になお情報指標が存在して美観を損なうことが防止される。
【００１１】
本発明の追加構成によれば、情報指標がいずれも加工時点から所与のクロック数前に読み込まれるように情報指標を読み込むための装置が構成される。それによって例えば裁断フォーマットの極めて正確なクロック制御による変更が可能となる。例えば情報指標は加工ステップの数クロック前、例えば１あるいは２クロック前に読み込むことができる。その結果、特に印刷物が除去されそれによって順序が変更されることが全く無くなることが確立される。また、加工の数クロック前に情報を読み込んでクロック制御による製品追跡によって仮想的に伝達することも考えられる。すなわち、データを一時的に蓄積して製品と同時に制御機構に伝送するのである。情報指標は、印刷物を直接加工装置に搬入する搬送装置の領域内で読み込むことが好適である。
【００１２】
本発明に係る装置は、制御装置が少なくとも１つの工具を直接的に制御するために設けられ、前述した機械が検出したデータを有する制御装置と結合されることを特徴とする。従って本発明に係る装置においては、上位配置された制御機構ではなく前記の少なくとも１つの工具を制御あるいは変更調節する制御装置に前記のデータ、例えばフォーマットデータが直接的に供給される。特に、それによって例えば裁断フォーマットを変更することができる。
【００１３】
本発明のその他の好適な特徴は、従属請求項ならびに以下に記述する説明および図面によって明らかにされる。
【図面の簡単な説明】
【００１４】
【図１】無線綴じ機、冷却塔、および本発明に係る装置からなるシステムを立体的に示した概略構成図である。
【図２】本発明に係る装置を立体的に示した概略構成図である。
【発明を実施するための形態】
【００１５】
次に、本発明の実施例について添付図面を参照しながら以下詳細に説明する。
【００１６】
図１には、無線綴じ機６と冷却塔１０と加工装置２とからなるシステム１が示されており、前記加工装置内において印刷物５が所与のフォーマットに裁断される。無線綴じ機６は第１の給入ステーション２７を備えていて、そこにおいて表紙４あるいは４′、特に本の表紙が給入される。それらの表紙４および４′は異なったフォーマットを有することが可能である。それらは図示されていない識別コードを備えることが可能であり、それを第１の読み取り装置７によって読み取ることができる。第２の給入ステーション２８上において無線綴じ機６に中本３あるいは３′が給入され、それらも異なったフォーマットを有することが可能である。第２の読み取り装置８によって例えば印刷によって中本３あるいは３′上に付加された適宜な識別指標が読み取られる。表紙４あるいは４′と中本３あるいは３′の情報指標は図示されていない上位配置された制御装置に伝送され、それによって各中本３あるいは３′に対してそれぞれ対応する表紙４あるいは４′が割り当てられる。無線綴じ機６内において中本が例えば切削および糊付け等の既知の方式で加工され、対応する表紙４あるいは４′が取り付けられる。しかしながら無線綴じ機６の代わりにその他の機械を設けることもできる。すなわち無線綴じ機６は本発明において不可欠ではない。
【００１７】
無線綴じ機６は第１の搬送装置９を介して冷却塔１０と結合されている。この搬送装置９によって無線綴じ機６から送出された印刷物５が冷却塔１０に給入される。従って印刷物５は例えば中本３あるいは３′と表紙４あるいは４′とから形成されている。印刷物５はいずれも例えば所与の裁断フォーマットに関するデータを含んだ情報指標１３あるいは１３′を備えている。冷却塔１０内において印刷物５からなる積重ね体１４が所定の相互間隔で形成されており、印刷物５あるいは５′はその後の加工が可能になるように所定の温度まで冷却される。冷却塔１０も本発明において不可欠なものではない。
【００１８】
冷却された印刷物５は第２の搬送装置１１によって冷却塔１０から加工装置２に搬送される。この搬送は図１の矢印１６に沿って実施される。図２に示されているように、搬送装置１１はストッパ２９を備えたテーブル２２を有しており、そのストッパの手前に第３の読み取り装置１２が配置されている。この読み取り装置１２によって各情報指標が検出あるいは読み取られる。この読み取り装置１２はマトリクスカメラを備えた光学読み取り装置または電子検出装置とすることができる。データはここでは図示されていない送信機によって読み取ることもできる。印刷物５は搬送装置１１によって例えばクロック制御式に加工装置２に搬送される。後続する印刷物５あるいは５′は異なったデータを含んだ情報指標１３あるいは１３′を有することが可能である。そのデータは例えば裁断フォーマットに該当するものであり得る。情報指標１３′は例えば情報指標１３とは異なったデータ、例えば異なった裁断フォーマットに該当するデータを含むことができる。図示された実施例において第３の読み取り装置１２は加工装置２の手前あるいは外側に存在している。しかしながら、原則的にこの第３の読み取り装置を加工装置２内に配置することもできる。送信機内にデータが記憶されている場合はそれを直接読み取ることもできる。
【００１９】
第３の読み取り装置１２はデータ伝送のために加工装置２の制御装置２３と結合されている。このデータ伝送は導線を介してあるいは非接触方式で行うことができる。制御装置２３は加工装置の機械制御機構であって、特に第１の切断刃１７と第２の切断刃１８と第３の切断刃１９を裁断に対応して変動させるよう機能する。第１の切断刃１７は底部裁断のため、第２の切断刃１８は前部裁断のため、第３の切断刃１９は上部裁断のために設けられている。加工装置２の範囲内において印刷物５あるいは５′が切断刃１７ないし１９に順次供給される。図１においては、矢印２４によって第１の切断刃１７から第２の切断刃１８への搬送が、矢印２５によって第２の切断刃１８から第３の切断刃１９への搬送が示されている。適宜な搬送装置ならびに切断刃１７ないし１９は当業者において周知である。また、切断刃１７ないし１９を例えばその位置に関して自動的に変化させることも知られている。それに代えて印刷物５の切断位置姿勢を変化させることもできる。例えば、印刷物５あるいは５′をそれぞれ裁断のために位置設定する図示されていないストッパを調節することができる。裁断されていて通常は完成品である印刷物２１は上部裁断の後に送出テーブル２０上に送出され、例えばここで図示されていない器具によって積み重ね処理あるいは包装することができる。
【００２０】
情報指標１３は目視可能あるいは目視不可能なものとすることができる。例えば紫外線によって可視となるが昼光中では不可視なように形成することができる。情報指標１３は例えばバーコードあるいはデータマトリクスの形式で符号化することが好適である。情報指標１３が表紙４あるいは４′上、または中本３あるいは３′上、または付属の媒体上に印刷されている場合、それが可能な限り小さな面積を要するものとなる。例えば所与の裁断フォーマットに関する情報を含んだコードが広範囲なコードの一部であることも可能である。例えばコードが識別番号であるとともに追加的に裁断フォーマットに関する情報を含むことができる。
【００２１】
情報指標１３がバーコードあるいはデータマトリクスの形式で印刷されている場合、例えば裁断フォーマットを符号化するために既知の符号化アルゴリズムを使用することができる。それによって英数字箇所あるいはスペースを節約することができる。
【符号の説明】
【００２２】
１  システム
２  加工装置
３，３′  中本
４，４′  表紙
５  印刷物
６  無線綴じ機
７，８，１２  読み取り装置
９，１１  搬送装置
１０  冷却塔
１３，１３′  情報指標
１４  積重ね体
１７，１８，１９  切断刃
２０  送出テーブル
２１  完成印刷物
２２  テーブル
２３  制御装置
２７，２８  給入ステーション
２９  ストッパ
【先行技術文献】
【特許文献】
【００２３】
【特許文献１】欧州特許出願公開第１８１６００７号明細書
【図１】
2009193586.tif 000003
【図２】
2009193586.tif 000004